(57)【要約】【課題】通風により放熱の促進ができるとともに、蓄熱量の増大を図ることができ、また、放熱の制御ができる蓄熱空調システムを提供することを目的とする。【解決手段】建築躯体５に埋設された蓄熱用配管６に接続される熱源機７に接続される空調機８と、建築躯体５と床３間に設けられる空間部４とを、室１内を縦方向に貫通する連通ダクト１４で連通し、連通ダクト１４に各室１内に設けられるダクト給気口１５を設け、空間部側連通口１６に床下通風ダンパー１７を設け、建築躯体５に蓄熱された熱を通風ダクト１４を介して空間部４に送られる給気流により室１内に給気することにより、通風により放熱の促進ができるとともに、放熱の制御ができる蓄熱空調システムが得られる。【選択図】図１
2005140446.tif 000002
【特許請求の範囲】
【請求項１】
床下の基礎やコンクリートスラブ等の建築躯体に埋設される蓄熱用配管と、この蓄熱用配管に接続される熱源機と、この熱源機に接続され建物の上方部に配設される空調機と、前記建築躯体と床との間に設けられる空間部と、この空間部と前記空調機の空調側給気口とを連通するように室内を縦方向に貫通する連通ダクトと、この連通ダクトに連通し各室内に設けられるダクト給気口と、前記連通ダクトと空間部とを連通する空間部側連通口に設けられる床下通風ダンパーとを備え、前記建築躯体に蓄熱された熱を前記連通ダクトを介して空間部に送られる給気流により室内に給気する構成とした蓄熱空調システム。
【請求項２】
床下の基礎やコンクリートスラブ等の建築躯体に埋設される蓄熱用配管と、この蓄熱用配管に接続される熱源機と、建物の上方部に配設される熱交換形換気扇と、前記建築躯体と床との間に設けられる空間部と、この空間部に前記熱交換形換気扇の室内側給気口とを連通するように室内を縦方向に貫通する連通ダクトと、この連通ダクトに連通し各室内に設けられるダクト給気口と、前記連通ダクトと空間部を連通する空間部側連通口に設けられる床下通風ダンパーと、室内に単独で設けられるエアコンとを備え、前記建築躯体に蓄熱された熱を前記連通ダクトを介して熱交換形換気扇から空間部に送られる給気流により室内に給気するとともに、前記エアコンを単独運転して空調を行なう構成とした蓄熱空調システム。
【請求項３】
空調機の給気風量を調整できる構成とした請求項１記載の蓄熱空調システム。
【請求項４】
夜間は床下通風ダンパーを閉鎖して蓄熱を行ない、昼間は床下通風ダンパーを開放して放熱を行なう構成とした請求項１または２記載の蓄熱空調システム。
【請求項５】
空調機の運転を制御するサーモスタットに連動させて床下通風ダンパーを開閉する構成とした請求項１記載の蓄熱空調システム。
【請求項６】
空調機に熱交換形換気扇を連結する構成とした請求項１記載の蓄熱空調システム。
【請求項７】
熱交換形換気扇は連続運転を行ない、空調機はサーモスタットに連動させて運転を行なう構成とした請求項６記載の蓄熱空調システム。
【請求項８】
熱源機に接続される給湯タンクを設け、熱源機が蓄熱運転を停止しているときは、前記熱源機からの熱を給湯タンク側に供給することができる構成とした請求項１または２記載の蓄熱空調システム。
【発明の詳細な説明】
【技術分野】
【０００１】
本発明は、夜間に熱源機を運転して建築躯体に熱を蓄え、昼間に放熱して空調を行なう蓄熱空調システムに関する。
【背景技術】
【０００２】
従来、この種の蓄熱空調システムの一例として、躯体蓄熱式輻射冷暖房・換気・給湯装置が知られている（例えば、特許文献１参照）。
【０００３】
以下、その躯体蓄熱式輻射冷暖房・換気・給湯装置について図５を参照しながら説明する。
【０００４】
図に示すように、床下には断熱材１０１と床コンクリート１０２を設け、床コンクリート１０２内にはダクト１０３が配設され、ダクト１０３にはヒートポンプ１０４と接続される蓄熱用熱交換器１０５を設け、ヒートポンプ１０４は天井裏に設けた送風用熱交換器１０６と熱交換式換気扇１０７に接続されるとともに、貯湯槽１０８に接続され、蓄熱用熱交換器１０５により蓄熱された床コンクリート１０２の熱を室内に輻射していた。
【特許文献１】特開平１０−２５３０９７号公報（［００１４］〜［００１６］、図１）
【発明の開示】
【発明が解決しようとする課題】
【０００５】
このような従来の躯体蓄熱式輻射冷暖房・換気・給湯装置では躯体となる床コンクリート１０２に蓄熱された熱は輻射による自然放熱により放熱するので、単位面積あたりの放熱量が少ないという課題があり、単位面積あたりの放熱量を高めるようにすることが要求されている。
【０００６】
また、自然放熱で連続放熱のため、放熱量の制御ができないという課題があり、必要なときに必要な熱を取り出せるようにすることが要求されている。
【０００７】
また、各室毎に異なる空調ができないという課題があり、各室毎に異なる空調ができるようにすることが要求されている。
【０００８】
本発明は、このような従来の課題を解決するものであり、通風により放熱の促進ができるとともに、蓄熱量の増大を図ることができ、また、放熱の制御ができ、また、各室毎の空調を行なうようにして建物全体の空調の自由度を向上することができる蓄熱空調装置を提供することを目的としている。
【課題を解決するための手段】
【０００９】
本発明の蓄熱空調装置は上記目的を達成するために、蓄熱用配管を埋設した建築躯体と床との間に空間部を設け、空間部と建物の上方部に設けた空調機とを連通するように室内を貫通する連通ダクトを設け、連通ダクトに連通するダクト給気口を各室内に設け、空間部側連通口には床下通風ダンパーを設け、建築躯体に蓄熱された熱を連通ダクトを介して空間部に送られる給気流により室内に供給する構成としたものである。
【００１０】
この手段により、通風により放熱の促進ができるとともに、蓄熱量の増大を図ることができ、また、放熱の制御ができる蓄熱空調システムが得られる。
【００１１】
また、他の手段は、蓄熱用配管を埋設した建築躯体と床との間に空間部を設け、空間部と建物の上方部に設けた熱交換形換気扇とを連通するように室内を貫通する連通ダクトを設け、連通ダクトに連通するダクト給気口を各室内に設け、空間部側連通口には床下通風ダンパーを設け、室内に単独で設けられるエアコンを設け、建築躯体に蓄熱された熱を、連通ダクトを介して熱交換形換気扇から空間部に送られる給気流により室内に給気するとともに、エアコンを単独運転して空調を行なう構成としたものである。
【００１２】
この手段により、各室に共通する蓄熱による空調に加えて、各室にエアコンによる個別の空調ができ、建物全体の空調の自由度が向上する蓄熱空調システムが得られる。
【００１３】
また、他の手段は、空調機の給気風量を調整できる構成としたものである。
【００１４】
この手段により、放熱の大小の制御ができる蓄熱空調システムが得られる。
【００１５】
また、他の手段は、夜間は床下通風ダンパーを閉鎖して蓄熱を行ない、昼間は床下通風ダンパーを開放して放熱を行なう構成としたものである。
【００１６】
この手段により、効果的な蓄熱、放熱を行なうことのできる蓄熱空調システムが得られる。
【００１７】
また、他の手段は、空調機の運転を制御するサーモスタットに連動させて床下通風ダンパーを開閉する構成としたものである。
【００１８】
この手段により、効果的な蓄熱、放熱を行なうことができる蓄熱空調システムが得られる。
【００１９】
また、他の手段は、空調機に熱交換形換気扇を連結する構成としたものである。
【００２０】
この手段により、空調の必要な昼間の空調が効果的に行なうことができる蓄熱空調システムが得られる。
【００２１】
また、他の手段は、熱交換形換気扇は連続運転を行ない、空調機はサーモスタットに連動させて運転を行なう構成としたものである。
【００２２】
この手段により、現状の雰囲気に即した空調を効果的に行なうことができる蓄熱空調システムが得られる。
【００２３】
また、他の手段は、熱源機に接続される給湯タンクを設け、熱源機が蓄熱運転を停止しているときは、前記熱源機からの熱を給湯タンク側に供給することができる構成としたものである。
【００２４】
この手段により、熱源機を有効に活用することができる。
【発明の効果】
【００２５】
本発明によれば、放熱の促進ができるとともに、蓄熱量の増大を図ることができ、また、放熱の制御ができ室内の快適性を向上できる蓄熱空調システムを提供できる。
【００２６】
また、効果的な蓄熱、放熱を行なうことができる。
【００２７】
また、蓄熱によるベース空調に加えて、エアコンによる個別空調ができ建物全体の自由度を向上することのできる蓄熱空調システムを提供できる。
【００２８】
また、現状に即した空調を行なうことができる。
【００２９】
また、熱源機を有効に活用することができる。
【発明を実施するための最良の形態】
【００３０】
本発明の請求項１に記載の発明は、床下の基礎や、コンクリートスラブ等の建築躯体に埋設される蓄熱用配管と、この蓄熱用配管に接続される熱源機と、この熱源機に接続され建物の上方部に配設される空調機と、前記建築躯体と床との間に設けられる空間部と、この空間部と前記空調機の空調側給気口とを連通するように室内を縦方向に貫通する連通ダクトと、この連通ダクトに連通し各室内に設けられるダクト給気口と、前記連通ダクトと空間部とを連通する空間部側連通口に設けられる床下通風ダンパーとを備え、前記建築躯体に蓄熱された熱を前記連通ダクトを介して空間部に送られる給気流により室内に給気する構成としたものであり、蓄熱するときは通風による給気流の流れを停止し、蓄熱を利用するときは、通風による給気流によって室内に給気されることとなり、通風によって放熱が促進されるとともに、自然常時放熱と比べて蓄熱量を増大させることができ、また、床下通風ダンパーによって放熱の制御ができるとともに、ダクト給気口から給気される空調空気と、蓄熱による空気が共に室内に給気されることとなり、室内の快適性が向上する作用を有する。
【００３１】
また、請求項２に記載の発明は、床下の基礎やコンクリートスラブ等の建築躯体に埋設される蓄熱用配管と、この蓄熱用配管に接続される熱源機と、建物の上方部に配設される熱交換形換気扇と、前記建築躯体と床との間に設けられる空間部と、この空間部に前記熱交換形換気扇の室内側給気口とを連通するように室内を縦方向に貫通する連通ダクトと、この連通ダクトに連通し各室内に設けられるダクト給気口と、前記連通ダクトと空間部を連通する空間部側連通口に設けられる床下通風ダンパーと、室内に単独で設けられるエアコンとを備え、前記建築躯体に蓄熱された熱を前記連通ダクトを介して熱交換形換気扇から空間部に送られる給気流により室内に給気するとともに、前記エアコンを単独運転して空調を行なう構成としたものであり、各室に共通する蓄熱によるベース空調に加え、各室ごとに異なる空調の要求に対し、エアコンにより個別に対応でき、建物全体の空調システム構成の自由度が向上する作用を有する。
【００３２】
また、請求項３に記載の発明は、空調機の給気風量を調整できる構成としたものであり、空間部内を通る給気量が調整されることにより、空間部から室内に放熱される熱量が制御されることとなり、放熱量の大小を制御することができる作用を有する。
【００３３】
また、請求項４に記載の発明は、夜間は床下通風ダンパーを閉鎖して蓄熱を行ない、昼間は床下通風ダンパーを開放して放熱を行なう構成としたものであり、低料金の深夜電力を利用して熱源機を運転して蓄熱を行ない、高料金の昼間は床下通風ダンパーを開放することにより、蓄熱された熱分が放熱されることとなり、低料金の効果的な蓄熱、放熱ができる作用を有する。
【００３４】
また、請求項５に記載の発明は、空調機の運転を制御するサーモスタットに連動させて床下通風ダンパーを開閉する構成としたものであり、室温が高いときには、サーモスタットにより空調機の通水が停止されるとともに、床下通風ダンパーが開となって放熱を多く行ない、室温が低いときにはサーモスタットにより空調機への通水が行なわれ、床下通風ダンパーが閉となって、蓄熱されていた熱の放熱は少なくなることとなり、効果的な放熱を行なうことができるという作用を有する。
【００３５】
また、請求項６に記載の発明は、空調機に熱交換形換気扇を連結する構成としたものであり、夜間は空調機の運転を停止し、熱交換形換気扇の運転を行ない、床下通風ダンパーを閉として蓄熱を行ない、昼間は空調機と熱交換形換気扇を運転し、床下通風ダンパーを開いて放熱を行なうことにより、熱交換形換気扇は何れの場合も連続運転されて排熱を回収しながら空調が行なわれることとなり、昼間の空調を効果的に行なうことができるという作用を有する。
【００３６】
また、請求項７に記載の発明は、熱交換形換気扇は連続運転を行ない、空調機はサーモスタットに連動させて、運転を行なう構成としたものであり、昼間は、サーモスタットの作動により空調機の運転を行ない、熱交換形換気扇は連続運転を行ない、床下通風ダンパーを閉として少ない放熱を行ない、夜間はサーモスタットの停止により空調機への通水は停止され、熱交換形換気扇は連続運転を行ない、床下通風ダンパーを開として放熱を多く行なうことにより、現状の雰囲気に即した空調を効果的に行なうことができるという作用を有する。
【００３７】
また、請求項８に記載の発明は、熱源機に接続される給湯タンクを設け、熱源機が蓄熱運転を停止しているときには、前記熱源機からの熱を給湯タンク側に供給することができる構成としたものであり、給湯タンク内の湯を沸かすことができるという作用を有する。
【００３８】
以下、本発明の実施の形態について図面を参照しながら説明する。
【００３９】
（実施の形態１）
図１および図２に示すように、複数の室１を設けた建物２の床３の下方に空間部４を設け、床下の基礎やコンクリートスラブ等からなる建築躯体５に蓄熱用配管６を埋設し、蓄熱用配管６にはヒートポンポチラー等の熱源機７を接続するとともに、熱源機７は建物２の上方部に配設されるファンコイルユニット等の空調機８と給湯タンク９に接続され、空調機８には室１の空気を吸い込む空調側吸込口１０と室１に給気する空調側給気口１１を設け、内部には送風機１２と蓄熱用配管６の接続される熱交換器１３を設け、空調側給気口１１には、空間部４と連通するように室１を縦方向に貫通する連通ダクト１４を設け、連通ダクト１４には、室１と連通するダクト給気口１５を設け連通ダクト１４と空間部４とを連通する空間部側連通口１６には、床下通風ダンパー１７を設け、床下３には室１と連通する通風口１８を設ける。
【００４０】
また、空調機４の給気風量を、空調機８に設けた送風機１２の制御により調整できるように設け、夜間は床下通風ダンパー１７を閉鎖して建築躯体５に蓄熱を行なうように設け、昼間は床下通風ダンパー１７を開放し放熱を行なうように設ける。
【００４１】
また、室温を検知して電気回路を開閉するサーモスタット１９により、空調機８の運転を制御するように設けるとともに、サーモスタット１９に連動して床下通風ダンパー１７を開閉するように設ける。
【００４２】
また、空調機８に室内側給気口２０を介して、室内側吸込口２１を室１に対応させ、内部に熱交換素子２２を有した熱交換形換気扇２３を接続し、熱交換形換気扇２３の室外側吸込口２４と室外側排気口２５を建物２の室外側に配設し、熱交換形換気扇２３は連続運転を行ない、空調機８はサーモスタット１９に連動させて運転を行なうように設ける。
【００４３】
また、熱源機７が蓄熱運転を停止しているときには、熱源機７からの熱あるいは冷房排熱を給湯タンク９側に供給して使用することができるように構成する。
【００４４】
上記構成において、冬季の夜間における蓄熱と換気運転時には熱源機７から温水を建築躯体５に埋設した蓄熱用配管６に送って蓄熱を行ない、空調機８の運転を停止し、床下通風ダンパー１７は閉鎖状態にして熱交換形換気扇２３を運転する。熱交換形換気扇２３が運転されると、室内側吸込口２１より室１内の空気が熱交換形換気扇２３内に組み込まれた熱交換素子２２に蓄熱したのち、室外側排気口２５より室外に排出され、一方、室外側吸込口２４より吸い込まれた空気に熱交換素子２２に蓄熱された熱分が回収され、ダクト給気口１５より室１内に放散される換気運転が行なわれる。このとき、床下通風ダンパー１７は閉鎖状態であるため換気運転時の気流が空間部４内に流れ、放熱が促進されることはない。そして、蓄熱が進み蓄熱運転が停止されているときには、熱源機７からの熱が給湯タンク９に供給され、給湯タンク９の湯を沸かすこととなる。
【００４５】
次に、冬季の昼間における空調と換気運転時には、熱源機７から温水が空調機８の熱交換器１３に送られ、サーモスタット１９の作動により空調機８の送風機１２が運転されるとともに、床下通風ダンパー１７は閉鎖され、空調機８の運転により空調機８の空調側吸込口１０から室１の空気が吸い込まれるとともに、熱交換形換気扇２３より送られる室１の熱を回収した空気が混合して、空調機８の熱交換器１３によりさらに熱交換して温風となった空気が空調側給気口１１より連通ダクト１４に送られ、各室１に設けたダクト給気口１５より各室１に放散される。
【００４６】
建築躯体５に蓄熱されている熱は自然放熱により空間部４を暖め床３からの自然放熱により室１に放熱される。そして、室１の温度が設定温度に達するとサーモスタット１９の作動が停止して空調機８の通水は閉止するとともに、熱源機７からの温水の給水は停止される。空調機８の送風運転は継続するとともに熱交換形換気扇２３も運転が続行され、熱交換素子２２に蓄熱された熱分を回収した空気がダクト給気口１５から各室１に放散されて換気運転が行なわれることになる。また、床下通風ダンパー１７が開放されて空間部４に送られた気流により、建築躯体５に蓄熱されている熱は通風口１８に送られて室内に放散され床３からの自然放熱に強制放熱を加えたベース空調による暖房が行なわれる。また、放熱量の制御は送風機１２の制御により風量を制御して行なわれる。
【００４７】
また、夏季の夜間における蓄熱（蓄冷）と換気運転時には、熱源機７から冷水を建築躯体５に埋設した蓄熱用配管６に送って蓄冷を行ない、空調機８の運転を停止し、床下通風ダンパー１７は閉鎖状態にして熱交換形換気扇２３を運転する。熱交換形換気扇２３が運転されると、室内側吸込口２１より室１内の空気が熱交換形換気扇２３内に組み込まれた熱交換素子２２に蓄熱されたのち、室外側排気口２５より室外に排出される。一方、室外側吸込口２４より吸い込まれた空気に熱交換素子２２に蓄熱された熱分が回収され、ダクト給気口１５より室１内に放散される換気運転が行なわれる。このとき、床下通風ダンパー１７は閉鎖状態であるため換気運転時の気流が空間部４内に流れ冷気の放散が促進されることはない。
【００４８】
次に、夏季の昼間における空調と換気運転時には、熱源機７から冷水が空調機８の熱交換器１３に送られ、サーモスタット１９の作動により空調機８の送風機１２が運転されるが、床下通風ダンパー１７は閉鎖したままで、空調機８の運転により空調機８の空調側吸込口１０から室１の空気が吸い込まれるとともに、熱交換形換気扇２３より送られる室１の熱を回収した空気が混合して、空調機８の熱交換器１３によりさらに熱交換して冷風となった空気が、空調側給気口１１より連通ダクト１４に送られ、各室１に設けたダクト給気口１５より各室１に放散される。
【００４９】
建築躯体５に蓄熱（蓄冷）されている熱は自然吸熱により空間部４を冷やし床３からの自然吸熱により室１から吸熱する。そして、室１の温度が設定温度に達するとサーモスタット１９の作動が停止して空調機８の通水は閉止するとともに、熱源機７からの冷水の給水は停止される。空調機８の送風運転は継続するとともに熱交換形換気扇２３も運転が続行され、熱交換素子２２に蓄熱（蓄冷）された冷分を回収した空気がダクト給気口１５から各室１に放散して換気運転が行なわれることになる。また、床下通風ダンパー１７は開放されて空間部４に送られた気流により、建築躯体５に蓄熱（蓄冷）されている熱は通風口１８に送られて室内に放散され、床３からの自然吸熱に強制吸熱を加えたベース空調による冷房が行なわれる。また、吸熱量の制御は送風機１２の制御により風量を制御して行なわれる。
【００５０】
（実施の形態２）
図３および図４に示すように、床下の基礎やコンクリートスラブ等の建築躯体５Ａに埋設される蓄熱用配管６Ａに接続した熱源機７Ａと、建物２Ａの上方部に配設される熱交換形換気扇２３Ａと、建設躯体５Ａと床３Ａとの間に設けられる空間部４Ａに熱交換形換気扇２３Ａの室内側給気口２０Ａとを連通するように室１Ａ内を縦方向に貫通する連通ダクト１４Ａと、連通ダクト１４Ａに連通し各室１Ａ内に設けられるダクト給気口１５Ａと、連通ダクト１４Ａと空間部４Ａを連通する空間部側連通口１６Ａに設けられる床下通風ダンパー１７Ａと、室１Ａ内に単独運転可能に設けられるエアコン２６とを設け、建築躯体５Ａに蓄熱された熱を連通ダクト１４Ａを介して熱交換形換気扇２３Ａから空間部４Ａに送られる給気流により室１Ａ内に給気するとともに、エアコン２６を単独運転して空調を行なうように設ける。
【００５１】
また、床下ダンパー１７Ａは蓄熱、蓄冷時には閉鎖し、放熱、吸熱時には開放するように設け、熱源機７Ａと接続されている給湯タンク９Ａは、蓄熱運転を停止しているときには、熱源機７Ａによりお湯を沸かし、夏季の夜間に蓄冷運転しているときには、冷房排熱でお湯を沸かすように構成する。
【００５２】
上記構成において、冬季の夜間における蓄熱と換気運転時には、熱源機７Ａからの温水を建築躯体５Ａに埋設した蓄熱用配管６Ａに送り蓄熱を行ない、床下通風ダンパー１４Ａは閉鎖状態にして熱交換形換気扇２３Ａを運転する。熱交換形換気扇２３Ａが運転されると、室内側吸込口２１より室１Ａ内の空気が熱交換形換気扇２３Ａ内に組み込まれた熱交換素子２２に蓄熱されたのち、室外側排気口２５より室外に排出される。一方、室外側吸込口２４より吸い込まれた空気に熱交換素子２２に蓄熱された熱分が回収され、ダクト給気口１５Ａより室１内に放熱される換気運転が行なわれる。このとき、床下通風ダンパー１７Ａは閉鎖状態であるため、換気運転時の気流が空間部４Ａ内に流れ放熱が促進されることはない。そして、蓄熱が進み蓄熱運転が停止されているときには、熱源機７Ａは給湯タンク９Ａに熱を供給し、給湯タンク９Ａの湯を沸かすこととなる。
【００５３】
次に、冬季の昼間における空調と換気運転時には、熱交換形換気扇２３Ａが運転されるとともに、床下通風ダンパー１７Ａが開放され、熱交換形換気扇２３Ａの室内側給気口２０Ａから連通ダクト１４Ａを介してダクト給気口１５Ａおよび空間部４Ａ送られ、空間部４Ａに送られた気流により、建築躯体５Ａに蓄熱され空間部４Ａ内に放熱されている熱分を強制的に通風口１８に送り室１Ａ内に放散して床３面からの自然放熱に加え、強制放熱を行ない、ベース空調による暖房が行なわれる。
【００５４】
そして、各室１Ａのエアコン２６を必要に応じて個別に運転することにより、各室１Ａの個別暖房空調を行なうことができる。
【００５５】
また、夏季の夜間における蓄冷と換気運転時には、熱源機７Ａからの冷水を建築躯体５Ａに埋設した蓄熱用配管６Ａに送って蓄冷を行ない、床下通風ダンパー１４Ａを閉鎖して熱交換形換気扇２３Ａを運転する。熱交換形換気扇が運転されると、室内側吸込口２１より室１Ａ内の空気が熱交換形換気扇２３Ａ内に組み込まれた熱交換素子２２に蓄熱したのち、室外側排気口２５より室外に排出される。一方、室外側吸込口２４より吸い込まれた空気に熱交換素子２２に蓄熱された熱分が回収され、ダクト給気口１５Ａより室１Ａ内に放散される換気運転が行なわれる。このとき、床下通風ダンパー１７Ａは閉鎖状態であるため換気運転時の気流が空間部４Ａ内に流れ冷気の放散が促進されることはない。
【００５６】
次に、夏季の昼間における空調と換気運転時には、床下通風ダンパー１７Ａが開放し、熱交換形換気扇２３Ａが運転されると、室内側給気口２０Ａより連通ダクト１４Ａに送られ各室１Ａに設けたダクト給気口１５Ａより各室１Ａに熱交換形換気扇２３Ａからの空気が放散されるとともに、空間部４Ａに送られた気流により、建築躯体５Ａに蓄冷され空間部４Ａ内に吸熱されている冷分を強制的に通風口１８に送り、室１Ａ内に放散して、床３面からの自然吸熱と強制吸熱によるベース空調によって冷房が行なわれる。
【００５７】
そして、各室１Ａに設けたエアコン２６を必要に応じて運転することにより各室１Ａの個別冷房空調を行なうことができることとなる。
【００５８】
なお、実施の形態では連通ダクトを室１の内部を貫通して設けているが、連通ダクトは壁部に埋設してもよいことはいうまでもない。
【産業上の利用可能性】
【００５９】
本発明にかかる蓄熱空調システムは、蓄熱量を増大するとともに適切な放熱をして、より効果的な空調を行ない、快適性の向上した住環境を得るのに有用である。
【図面の簡単な説明】
【００６０】
【図１】本発明の実施の形態１の蓄熱空調システムの蓄熱、蓄冷時の概略構成を示す断面図
【図２】同蓄熱空調システムの放熱、吸熱時の概略構成を示す断面図
【図３】本発明の実施の形態２の蓄熱空調システムの蓄熱、蓄冷時の概略構成を示す断面図
【図４】同蓄熱空調システムの放熱、吸熱時の概略構成を示す断面図
【図５】従来の躯体蓄熱式輻射冷暖房・換気・給湯装置の概略構成を示す断面図
【符号の説明】
【００６１】
１      室
１Ａ    室
３      床
３Ａ    床
４      空間部
４Ａ    空間部
５      建築躯体
５Ａ    建築躯体
６      蓄熱用配管
６Ａ    蓄熱用配管
７      熱源機
７Ａ    熱源機
８      空調機
１１    空調側給気口
１４    連通ダクト
１４Ａ  連通ダクト
１５    ダクト給気口
１５Ａ  ダクト給気口
１６    空間部側連通口
１６Ａ  空間部側連通口
１７    床下通風ダンパー
１７Ａ  床下通風ダンパー
１９    通風口
２０Ａ  室内側給気口
２３    熱交換形換気扇
２３Ａ  熱交換形換気扇
２６    エアコン
【図１】
2005140446.tif 000003
【図２】
2005140446.tif 000004
【図３】
2005140446.tif 000005
【図４】
2005140446.tif 000006
【図５】
2005140446.tif 000007